(57)【要約】【課題】メニュー表示操作が容易で操作性が改善され操作に対する安全性、確実性を高めた監視制御装置の端末装置を得る。【解決手段】タッチパネル上の複数のポイントを同時に検出し得るマルチタッチ検出器１２を有し、監視制御のための複数の対象物３（３Ａ、３Ｂ、３Ｃ、・・・）を表示するタッチパネルディスプレイ１と、このタッチパネルディスプレイに表示された複数の対象物の中から少なくとも一つの対象物がタッチ操作により選択されているときに、当該タッチ位置とは別の位置で所定のタッチ操作（ハンドジェスチャー）が行われると、対応するメニュー７を上記タッチパネルディスプレイに表示するデータ処理装置２を備えるようにした。【選択図】図１
2011076563.tif 000002
【特許請求の範囲】
【請求項１】
タッチパネル上の複数のポイントを同時に検出し得るマルチタッチ検出器を有し、監視制御のための複数の対象物を表示するタッチパネルディスプレイと、このタッチパネルディスプレイに表示された上記複数の対象物の中から少なくとも一つの対象物がタッチ操作により選択されているときに、当該タッチ位置とは別の位置で所定のタッチ操作が行われると、対応するメニューを上記タッチパネルディスプレイに表示するデータ処理装置を備えたことを特徴とする監視制御装置の端末装置。
【請求項２】
上記データ処理装置は、上記メニューの表示、非表示を、上記タッチパネルの選択位置を押下し続けているかどうかによって判断するようにしたことを特徴とする請求項１記載の監視制御装置の端末装置。
【請求項３】
上記データ処理装置は、上記タッチパネルディスプレイに表示された複数の対象物の中から少なくとも一つの対象物を選択するときに、タッチの仕方に応じて、上記タッチパネルの選択位置を押下し続けることを要するモードと、該選択位置を押下し続けることを要しないモードとが切り替えられるようにされてなることを特徴とする請求項１または請求項２記載の監視制御装置の端末装置。
【請求項４】
上記メニューは、上記タッチパネル上の所望の位置に所定のタッチ操作を行ったときに、当該位置を基準に表示されることを特徴とする請求項１から請求項３の何れかに記載の監視制御装置の端末装置。
【請求項５】
上記所定のタッチ操作は、上記タッチパネルに対するハンドジェスチャー操作であることを特徴とする請求項４記載の監視制御装置の端末装置。
【請求項６】
上記データ処理装置は、上記複数の対象物に対してそれぞれ設定されたメニューと、各メニューに対応させて設定された上記ハンドジェスチャー操作を記憶する記憶部を備えていることを特徴とする請求項５記載の監視制御装置の端末装置。
【請求項７】
上記データ処理装置は、ユーザを特定するユーザ認証部を有し、ユーザ毎に、上記対象物と、上記メニューと、上記ハンドジェスチャー操作の対応を上記記憶部に記憶させるようにしたことを特徴とする請求項６記載の監視制御装置の端末装置。
【請求項８】
上記データ処理装置は、上記タッチパネルディスプレイに表示された上記複数の対象物の中の複数の対象物を選択するモードが付加されていることを特徴とする請求項１から請求項７の何れかに記載の監視制御装置の端末装置。
【発明の詳細な説明】
【技術分野】
【０００１】
この発明は、例えば河川、浄水場、下水処理施設、高速道路などの公共施設や一般に設置されている、設備、機器、システム、プラント等の状態監視や制御などを行う監視制御装置の端末装置に関するものである。
【背景技術】
【０００２】
プラント等の設備・機器の状態監視や稼動制御を行ったり、河川や池などの水位や流量などを監視する監視制御装置（システム）は、現在の状況を視覚的に表示したり、機器の操作を行うための各種メニューを表示させ入力する端末装置と、処理を行うサーバという構成で成っている。端末装置としては専用端末やＯＡパソコン等が用いられ、ＬＣＤ等のディスプレイで表示し、キーボードやマウスで操作が行なわれているが、情報が表示されるディスプレイとキーボードが物理的に分離され、距離が離れているので、操作性が悪くなるといった問題があった。このような問題に対し、タッチパネルを用いて操作入力を行えるようにし、専用キーボードを用いなくても良いようにしたものが提案されている（例えば、特許文献１参照）。
【先行技術文献】
【特許文献】
【０００３】
【特許文献１】特開平８−２３４８２９号公報（第１頁、図１）
【発明の概要】
【発明が解決しようとする課題】
【０００４】
上記特許文献１のようなタッチパネルを用いた装置は、専用キーボード、マウスなどを不要にできるという利点があるものの、必要なメニューを表示させ、その中から所望の項目を選択し設定する操作ステップは、監視・制御を行いたい対象物を指定し、その次にメニューを選択し、表示されたメニューの中から必要な項目を選んで操作内容を指示するというマウスで操作する場合と同様の複数の操作が必要であり、操作数が多いという課題があった。
【０００５】
この発明は上記のような従来技術の課題を解決するためになされたものであり、メニュー表示の操作が容易で、メニュー表示後の操作性が改善され、操作に対する安全性、確実性を高めた監視制御装置の端末装置を得ることを目的としている。
【課題を解決するための手段】
【０００６】
この発明に係る監視制御装置の端末装置は、タッチパネル上の複数のポイントを同時に検出し得るマルチタッチ検出器を有し、監視制御のための複数の対象物を表示するタッチパネルディスプレイと、このタッチパネルディスプレイに表示された上記複数の対象物の中から少なくとも一つの対象物がタッチ操作により選択されているときに、当該タッチ位置とは別の位置で所定のタッチ操作が行われると、対応するメニューを上記タッチパネルディスプレイに表示するデータ処理装置を備えるようにしたものである。
【発明の効果】
【０００７】
この発明においては、対象物が選択されているときに別の位置で所定のタッチ操作が行われると、対応するメニューを表示するようにしたことにより、ユーザに対して、どの対象物に対する操作なのかをはっきり意識させることができる。このため、対象物をユーザが意識して制御命令を送ることができ、機器制御操作に対する確実性を高めることができる。また、対象物に対応するメニューを所定のタッチ操作で直接的に選択表示することが可能となるので物理的な手の移動が少なくなり、操作性が向上する。
【図面の簡単な説明】
【０００８】
【図１】この発明の実施の形態１に係る監視制御装置の端末装置の要部構成を概念的に示すブロック図である。
【図２】図１に示された端末装置の基本的な動作を概略的に示すフロー図である。
【図３】図２に示された動作の具体例を模式的に示す図であり、（ａ）〜（ｄ）はそれぞれ、第１、第２、第３、第４の例を示す。
【図４】この発明の実施の形態２に係る監視制御装置の端末装置の動作を概略的に示すフロー図である。
【図５】この発明の実施の形態３に係る監視制御装置の端末装置の要部構成を概念的に示すブロック図である。
【図６】図５に示された端末装置の基本的な動作を概略的に示すフロー図である。
【図７】図６に示された動作の具体例を模式的に示す図であり、（ａ）、（ｂ）はそれぞれ、第１、第２の例を示す。
【図８】この発明の実施の形態４に係る監視制御装置の端末装置の要部構成を概念的に示すブロック図である。
【図９】図８に示された端末装置にユーザ登録をするときの動作を概略的に示すフロー図である。
【図１０】図８に示された端末装置の基本的な動作を概略的に示すフロー図である。
【図１１】この発明の実施の形態５に係る監視制御装置の端末装置の動作を概略的に示すフロー図である。
【発明を実施するための形態】
【０００９】
実施の形態１．
以下、この発明の実施の形態１に係る監視制御装置の端末装置を図１〜図３を参照して説明する。監視制御装置の端末装置は、図１のブロック図に示すように、タッチパネル１１上の複数のポイントを同時に検出し得るマルチタッチ検出器１２を有し、監視制御のための複数の対象物３（３Ａ、３Ｂ、３Ｃ、・・・）（図３）を表示するタッチパネルディスプレイ１と、このタッチパネルディスプレイ１に表示された上記複数の対象物の中から少なくとも一つの対象物がタッチ操作により選択されているときに、当該タッチ位置とは別の位置で詳細を後述する所定のタッチ操作が行われると、対応するメニューを上記タッチパネルディスプレイ１に表示するデータ処理装置２を用いて構成されている。
【００１０】
上記データ処理装置２は、タッチパネルディスプレイ１にメニューを表示させるためのハンドジェスチャーを記憶するジェスチャー記憶部２１１、対象物に対するメニューをセットで記憶するメニュー記憶部２１２、及びその対象物に対するメニューとハンドジェスチャーの関係を記憶するメニュー対ジェスチャー対応記憶部２１３からなる記憶部２１と、メニュー表示のためのハンドジェスチャーを判定するジェスチャー判定部２２１、監視・制御の対象物に対するタッチ操作（押下）を判定する対象物判定部２２２、及び表示するメニューを決定する表示メニュー決定部２２３からなる情報処理部２２と、タッチパネルディスプレイ１とのインターフェース２３を備えている。
【００１１】
上記タッチパネルディスプレイ１を構成する詳細を図示省略しているマルチタッチ検出器１２は、タッチパネル１１上にタッチ（押下）された複数のポイントを同時に検出し得ると共に、タッチパネル１１上にタッチされた軌跡（ハンドジェスチャー操作）を検出することができる。タッチパネルディスプレイ１は、データ処理装置２とのインターフェース１３を備えている。なお、上記のようなタッチパネルディスプレイ１は、例えば公知のものを特別な制限なく用いることができる。
【００１２】
また、監視制御装置の本体部分は、ここでは図示を省略しているが、例えば従来と同様のものを特別な制限なく用いることができ、また制御対象なども特に限定されるものではない。また、上記データ処理装置２は、該監視制御装置の本体部分の構成要素ないしは機能の中に包含させることが容易にできるものである。また、上記記憶部２１に対する各種メニュー情報の登録や情報処理部２２に対するプログラムのインストールなどは、例えば該監視制御装置の本体部分の入力手段（図示省略）などを用いて適宜行うことができる。
【００１３】
次に、上記のように構成された実施の形態１の動作について図２、図３を参照して説明する。まず、図２に基づいて、ある対象物に対してタッチパネルディスプレイ１上でメニュー表示操作を行うときの基本的動作である判定処理の概要を説明する。
ユーザはタッチパネルディスプレイ１に示された対象物の中の１つを選択し、タッチパネルディスプレイ１上で、その対象物を手でタッチ操作（押下）する（ステップＳ１１）。それをマルチタッチ検出器１２が感知し、インターフェース１３、及びデータ処理装置２上のインターフェース２３を介して、対象物判定部２２２へ押下した位置を伝える。対象物判定部２２２は、現在タッチパネルディスプレイ１上で表示されている画面内容と押下された位置から選択された対象物とその種類を特定する（ステップＳ１２）。
【００１４】
次に、タッチパネルディスプレイ１上の別の位置で、メニュー表示のための所定のタッチ操作であるハンドジェスチャー操作を行う（ステップＳ１３）。すると、それをマルチタッチ検出器１２が感知し、インターフェース１３、及びデータ処理装置２のインターフェース２３を介し、ジェスチャー判定部２２１へハンドジェスチャー操作を伝える。ジェスチャー判定部２２１は、入力されたハンドジェスチャーパターンが登録されたジェスチャーパターンかどうかを判定する（ステップＳ１４）。登録されたジェスチャーパターンであった場合（Ｙｅｓ）、ステップＳ１５において、表示メニュー決定部２２３が、先ほど対象物判定部２２２で判定した対象物とジェスチャー判定部２２１で判定したジェスチャーパターンを元に、メニュー対ジェスチャー対応記憶部２１３に照合し、指定された対象物に対する登録されたジェスチャーパターンかどうかを判定する。
【００１５】
ステップＳ１５の判定がＹｅｓの場合、次のステップＳ１６において、対象物判定部２２２は、タッチパネルディスプレイ１上で対象物の押下状態が継続されているかどうかを判断し、押下された状態であれば（Ｙｅｓ）、次のステップＳ１７において、ハンドジェスチャーを開始した位置を起点として、対応するメニューを表示する。このとき、タッチパネルディスプレイ１上で、対象物を押下し続けていなければ（Ｎｏ）、また、ステップＳ１４、Ｓ１５がＮｏであればハンドジェスチャー操作をしてもメニューは表示しない（ステップＳ１８）。その後、表示されたメニューの項目（詳細図示省略）を別の手で選択することにより、最初の手で押下している対象物に対して、選択した項目の制御内容を実行することができる。
【００１６】
図３（ａ）〜（ｄ）は上記ステップＳ１１〜Ｓ１８のフローに基づく具体的な第１〜第４の例を示しており、それぞれ白抜きの矢印の左側の図がメニューを表示させるときの動作、右側の図がメニューが表示されたときの状態を模式的に示している。なお、図３において、タッチパネルディスプレイ１上に点在して示されている星形、三日月形、あるいは太陽形状のアイコンからなる対象物３（３Ａ、３Ｂ、３Ｃ、・・・）は、監視制御装置の例えば各種弁装置、加熱／冷却装置、送風装置、ポンプ装置等々の各種制御対象物を示すものとする。なお、タッチパネルディスプレイ１の画面上には、例えば監視制御対象となるシステムや装置の系統図、制御状態に関するバーグラフ等の情報類、制御ボタン等も対象物と共に必要に応じて示されるが、ここでは図示を省略している。
【００１７】
図３（ａ）の第１の例は、左図のようにユーザの手（例えば左手の指）４で、監視制御の複数の対象物３の内、対象物３Ａを指定し、別の手（例えば右手の指）５で、別の任意の位置を起点としてメニュー表示のためのパターン化された軌跡で成るハンドジェスチャー６Ａを描く。なお、ここではハンドジェスチャー６Ａは、タッチパネルディスプレイ１上で矩形を描くものとする。すると、右図のように、対象物３Ａ及びハンドジェスチャー６Ａに対応するメニュー７Ａが表示され、ユーザは表示されたメニュー７Ａから所要の制御指示を行うことができる。なお、この例では、ユーザの手４は、対象物３Ａを押下しておかなければメニュー７は表示されない。
【００１８】
一方、図３（ｂ）の第２の例では、左図のようにユーザの手４は、同様に対象物３Ａを指定し、別の手５で、上記ハンドジェスチャー６Ａとは異なる予め登録された別の所要のメニュー表示のハンドジェスチャー６Ｂを行う。なお、ここではハンドジェスチャー６Ｂは、タッチパネルディスプレイ１上で円形を描くものとする。すると、その右図に示すように、対象物３Ａ及びハンドジェスチャー６Ｂに対応する別のメニュー７Ｂが表示される。ユーザは表示されたメニュー７Ｂから所要の制御指示を行うことができる。
【００１９】
一方、図３（ｃ）の第３の例は、ユーザの手４で、別の種類の対象物３Ｂを指定した場合である。このとき、別の手５で図３（ａ）と同じハンドジェスチャー６Ａを行っても、右図に示すように、図３（ａ）とは別の、対象物３Ｂ及びハンドジェスチャー６Ａに対応されたさらに別のメニュー７Ｃを表示させるようにすることができる。
【００２０】
また、図３（ｄ）の第４の例のように、対象物３Ｂをユーザの手４で指定（押下）した状態で、図３（ｂ）と同じハンドジェスチャー６Ｂを行ったときに、その右図に示すように、図３（ｂ）と同じメニュー７Ｂを表示させるようにすることもできる。
【００２１】
なお、この実施の形態１ではメニュー７（７Ａ、７Ｂ、７Ｃ）を非表示にする場合は、ユーザの手４を指定している対象物３（３Ａ、３Ｂ、３Ｃ、・・・）から離すと、メニューを非表示にするように構成されているが、特にこれに限定されるものではない。例えば、表示されたメニュー画面の中にメニューを非表示とするハンドジェスチャーを登録しておき、そのハンドジェスチャー操作を行うことによりメニューを非表示にするようにしてもよい。また、従来のウィンドウを閉じる操作のように、表示するメニューの中に「閉じる」ボタンを設け、その「閉じる」ボタンを押下することによってメニューを非表示にすることもできる。
【００２２】
なお、ハンドジェスチャー６は、矩形を描くハンドジェスチャー６Ａ、及び円を描くハンドジェスチャー６Ｂの２種類を例示したが、更に増やすこともできる。さらに、該ハンドジェスチャー６は、何れも軌跡が連続したいわゆる一筆書きのパターンを示したが、区別ができるものであれば不連続の軌跡であっても差し支えない。また、例えば時計方向の円を描くハンドジェスチャーには、例えば、弁を閉める方向の制御や電圧を上げる方向の制御等に対応するメニューが直接表示されるようにし、半時計方向の円を描くハンドジェスチャーには、弁を開ける方向の制御や電圧を下げる方向の制御等に対応するメニューが直接表示されるようにすることで、メニューの中から項目を選択するステップを減らし、しかも制御の方向を体感的な動作と一致させるように構成することもできる。
【００２３】
以上のように実施の形態１によれば、制御を行おうとする対象物３（３Ａ、３Ｂ、３Ｃ、・・・）を押下しながら、ハンドジェスチャー６の操作により、制御に必要なメニュー７（７Ａ、７Ｂ、７Ｃ、・・・）を直接的に表示し得るようにしたので、ユーザに対して、どの対象物に対する操作なのかを、はっきり意識させることができる。例えば、ポンプの運転／停止やゲートの開／閉などを制御する場合、ユーザはタッチパネルディスプレイ１上に表示された所定のポンプを片手で指定し、表示させるメニューに対応したハンドジェスチャー６をタッチパネルディスプレイ１に対して別の手５で行い、運転／停止といったメニュー７を表示させ、制御命令を選択することができる。これにより、対象物をユーザが意識しているもとで制御命令を送ることができ、機器制御操作に対する誤操作を防ぎ、安全性、確実性を高めることができる。
【００２４】
また、ハンドジェスチャー操作の開始位置を起点としてメニュー７を表示するようにしたので、任意の邪魔にならない位置にメニューを表示することができ、監視したいエリアを広く確保することができる。さらに、従来のようにマウスで対象物やメニューを選択する手法に比べて、両手で操作することにより物理的な手の移動が少なくなり、操作性が向上する。対象物を押下するユーザと、メニューを表示し、操作するユーザが別人でも対応可能となるので、ディスプレイのサイズが大きい場合は、例えば２人で操作することもできる。また、タッチパネルディスプレイ１だけで操作ができるので、マウスやキーボードを設置する必要がなく、設置場所の省スペース化になる。
【００２５】
実施の形態２．
図４は、この発明の実施の形態２に係る監視制御装置の端末装置において、ハンドジェスチャー操作に対するメニューの登録処理を行う場合の動作フローを示している。なお、実施の形態２の端末装置は上記実施の形態１と同様であるので構成の説明は省略し、以下、図１も参照して動作について説明する。まず、ステップＳ２１において、メニュー記憶部２１２に、監視・制御の対象物に対するメニューを設定する。なお、メニューは１つの対象物に対して、複数設定することができる。さらに、対象物を種類毎にカテゴライズし、カテゴライズされた種類毎のメニューを設定することもできる。
【００２６】
なお、上記登録処理を行うに際しては、例えばタッチパネルディスプレイ１にメニュー設定のプログラムを起動させるボタンを表示させ、さらに必要に応じてキーボード、マウスなどの入力手段を図示省略している監視制御装置の本体に接続し、あるいはタッチパネルディスプレイ１にキーボード等の入力手段を表示させ、その入力手段を用いることで、必要な情報の入力、設定が行なえるようにできる。また、メニュー表示のためのハンドジェスチャーとは異なるメンテナンス専用のハンドジェスチャーを事前に登録しておき、そのメンテナンス用のハンドジェスチャー操作が行われたときにタッチパネルディスプレイ１にメンテナンス画面が表示されるように構成することもできる。
【００２７】
次に、ステップＳ２２において、その対象物に対して、メニューを表示するためのハンドジェスチャーをタッチパネルディスプレイ１上で行い、ステップＳ２３において、そのハンドジェスチャーをパターン化した後、ジェスチャー記憶部２１１に設定する。次に、ステップＳ２４において、メニュー対ジェスチャー対応記憶部２１３に、メニュー記憶部２１２にて設定した対象物とメニューの組み合わせに対して、それを表示するためのパターン化されたハンドジェスチャーの対応を設定する。
【００２８】
以上のように、実施の形態２によれば、対象物（種類）とメニューとハンドジェスチャーの組み合わせを登録することにより、同じハンドジェスチャーであっても、対象物が違えば、違うメニューを登録することができる。従って、何種類ものハンドジェスチャーを用意する必要はない。
【００２９】
実施の形態３．
図５は、この発明の実施の形態３に係る監視制御装置の端末装置を示すブロック図である。図において、情報処理部２２には選択ジェスチャー判定部２２４が追加されている。その他の構成は実施の形態１と同様である。なお、上記実施の形態１では、タッチパネルディスプレイ１上で、対象物を押下していないと、メニュー表示のハンドジェスチャー操作をしてもメニューを表示しない例を示したが、この実施の形態３では、対象物を指定するタッチ操作の方法を複数用意すると共に、情報処理部２２に、何れの方法で指定されたかを判定する選択ジェスチャー判定部２２４を追加することにより、対象物を押下し続けなくても常にメニューを表示するモードを選択できるようにしたものである。
【００３０】
次に、図６、図７を参照して動作について説明する。まず、事前に、タッチパネルディスプレイ１上で対象物を指定する方法について、実施の形態１のように対象物から手を離すとメニューが消える通常モードと、手を離してもメニューが消えない常時メニュー表示モードの２モードをジェスチャー記憶部２１１に設定しておく。なお、モードの選択方法は自由に設定できる。この実施の形態３では、対象物３をユーザの手４でタッチ操作する際、１本の指で押下したときを実施の形態１と同様に対象物から指を離すとメニューが消える通常モードとする一方、２本の指で押下したときを、指を離してもメニューが消えない常時メニュー表示モードとしている。
【００３１】
図６のステップＳ３１において、事前にジェスチャー記憶部２１１に設定された常にメニューを表示させる方法で、タッチパネルディスプレイ上の対象物を押下する。ステップＳ３２にて対象物判定部２２２が対象物を特定し、ステップＳ３３において、選択ジェスチャー判定部２２４が、対象物が事前に設定された常時メニュー表示パターンで指定されたか、通常パターンで指定されたかを判定する。通常パターンの場合（Ｎｏ）、実施の形態１と同じ動作となり、図２のステップＳ１３へ進む。一方、対象物３が２本の指で押下された常時メニュー表示パターンの場合（Ｙｅｓ）、ステップＳ３４〜Ｓ３８に示すように、ハンドジェスチャーに対応したメニューが表示されるが、対象物判定部２２２にて、常に対象物を押下し続けているかどうかの判定は行われない。
【００３２】
図７は上記ステップＳ３１〜Ｓ３８の動作に基づく具体的なメニュー表示の操作例を示し、図７（ａ）は第１の例、図７（ｂ）は第２の例を模式的に示している。
図７（ａ）の第１の例は、対象物３Ａを左上図のようにユーザの手（１本の指）４で押下した場合である。そのまま押下状態を継続し、右上図のように例えば別の手５でメニューを表示させるハンドジェスチャー６Ａを行うと、実施の形態１と同様に対応するメニュー７Ａが表示され、続けてメニュー７Ａに対する制御操作が可能となる。しかし、右上図のユーザの手４をタッチパネルディスプレイ１から離した場合は、右下図のように、メニュー７Ａが消える。
【００３３】
一方、図７（ｂ）の第２の例は、ユーザの手（２本の指）４Ａで対象物３Ａを押下した場合である。別の手５によるハンドジェスチャー６Ａでメニュー７Ｂを表示した場合は、右側の図のように、対象物３Ａから手４Ａを離してもメニュー７Ｂは表示されたままとなる。このとき、他方の手５による操作が同じハンドジェスチャー６Ａであっても、対象物３Ａの指定の方法が違っていれば、第１の例のメニュー７Ａとは異なるメニュー７Ｂを表示させるようにすることもできる。
【００３４】
以上のように実施の形態３によれば、タッチパネルディスプレイ１上での対象物３の指定方法を変えるだけで、メニュー７を常に表示するか、しないかの設定を行うことができ、ユーザの意思をタッチパネルディスプレイ１に対してジェスチャーで示すことができる。また、対象物３を押下し続ける必要のないモードを選ぶことにより、例えば特定の目的を持ったメニューを常に表示しておくこともできるので、操作の回数を減らすことができる。
【００３５】
実施の形態４．
次に、この発明の実施の形態４に係る監視制御装置の端末装置について図８〜図１０を参照して説明する。なお、上記実施の形態１では、対象物３とハンドジェスチャー６とメニュー７の組み合わせにより、表示メニューを決定したが、この実施の形態４では、図８のブロック図に示すように、データ処理装置２にユーザ認証部２４を設け、メニュー対ジェスチャー対応記憶部２１３にユーザを加えた組み合わせを設定することにより、ユーザ固有のジェスチャーを登録し、操作する機能を実現するようにしたものである。その他の構成は実施の形態１と同様である。
【００３６】
次に動作について説明する。まず、事前にユーザ認証部２４に対して、予め決められた通常、複数のユーザを登録しておく。そして図９のフロー図に示すステップＳ４１において、登録されたユーザでシステムにログインする。なお、次の、メニュー記憶部２１２に対象物とメニューの組み合わせを設定するステップ（Ｓ４２）、タッチパネルディスプレイ１上でハンドジェスチャー操作を行うステップ（Ｓ４３）、及びジェスチャー記憶部２１１にハンドジェスチャーを設定するステップ（Ｓ４４）は、実施の形態２のステップＳ２１〜Ｓ２３と同様である。その後、Ｓ４５において、メニュー対ジェスチャー対応記憶部２１３に、メニューと対象物とジェスチャーの組み合わせに加えて、ログインしているユーザの情報もセットで設定しておく。
【００３７】
図１０は、上記事前の設定が終了されたもとで、ある対象物に対して、タッチパネルディスプレイ１上でメニュー表示操作を行うときの判定処理を表すフロー図である。ステップＳ５１において、登録されたユーザでシステムにログインする。次のステップＳ５２からＳ５５までの、対象物３をタッチパネルディスプレイ１上で指定し、メニュー表示のためのハンドジェスチャーを行い、ジェスチャーパターンを判定するフローは実施の形態１と同様である。Ｓ５５で登録されているハンドジャスチャーのパターンであることが確認されたとき（Ｙｅｓ）、ステップＳ５６において、ログインしているユーザと対象物に対するジェスチャーパターンかどうかを判定し、Ｙｅｓの場合、実施の形態１と同様にステップＳ５７でタッチし続けているかを判定し、Ｙｅｓのときに、ステップＳ５８において対応するメニューを表示する。
【００３８】
このように、表示メニュー決定部２２３は、メニュー対ジェスチャー対応記憶部２１３に設定されたログインユーザと対象物３とハンドジェスチャーのセットにより、表示メニューを決定する。なお、ステップＳ５５〜Ｓ５７の判定結果がＮｏの場合、ステップＳ５９でメニューを表示しない点は、上記実施の形態１と同様である。
【００３９】
上記のように構成された実施の形態４によれば、ユーザ毎に固有のハンドジェスチャーを設定することができるので、ユーザが違っていれば、同じハンドジェスチャー操作をしても、同じメニューが表示されないように構成することができる。また、特定の対象物、あるいは特定の制御を特定のユーザだけに操作させることもできる。従って、特定の人物にしか操作できないメニューを登録することができる。このため、例えば重要度の高い対象物、制御については、責任者あるいはベテランに対応させるなどの仕組みを構成することも容易である。
【００４０】
実施の形態５．
次に、この発明の実施の形態５に係る監視制御装置の端末装置について図１１を参照して説明する。なお、この実施の形態５は、上記実施の形態３におけるジェスチャー記憶部２１１に対象物を複数個まとめて指定し得るパターンを追加すると共に、選択ジェスチャー判定部２２４（図５参照）に、対象物が複数個指定された場合の判定処理を追加することで、同一種類の複数の対象物を指定して共通のメニューを表示し、複数の対象物をまとめて操作できるようにしたものである。その他の構成は実施の形態３と同様である。
【００４１】
次に図５も参照して動作について説明する。まず、予めジェスチャー記憶部２１１に、タッチパネルディスプレイ１上で対象物を１つだけ指定する方法と対象物を複数個まとめて指定する方法の２パターンを設定しておく。なお、その場合の対象物に対するメニューとジェスチャーの登録フローは、実施の形態２と同様である。そして、複数個指定の方法は自由に設定できる。例えば、対象物３を１つだけ指定する方法は、タッチパネルディスプレイ上で対象物をユーザの手４で１回押下するのみとし、複数個の対象物３をまとめて指定したい場合は、対象物をユーザの手４で２回タッチ（マウスのダブルクリックのような操作）する操作を複数の対象物について順次繰り返すことなどで、複数個選択できるようにする。
【００４２】
また、タッチパネルディスプレイ１に複数の対象物を選択するためのボタン（図示省略）を表示し、そのボタンを押しながら所望の対象物を指で１回押下する操作を順次繰り返して、複数個選択する方法などでも差し支えない。そして、選択されたことをコンピュータが認識した対象物については、対象物を例えば点滅させ、あるいはハイライト表示するなどによって、ユーザに操作の注意を喚起することなども自由に付加できる。
【００４３】
図１１は、対象物を複数個選択した場合における、タッチパネルディスプレイ１上でメニュー表示操作を行うときの処理を表すフロー図である。ステップＳ６１において、事前にジェスチャー記憶部２１１に設定した複数個指定の方法で、タッチパネルディスプレイ１上の対象物を押下する。ステップＳ６２にて対象物判定部２２２が対象物を特定し、ステップＳ６３において、選択ジェスチャー判定部２２４が、対象物が事前に設定された複数個指定の方法で指定されたか、１つだけ指定する方法で指定されたかを判定する。
【００４４】
１つだけ指定された場合（Ｎｏのとき）、実施の形態１と同じ動作となり、図２のステップＳ１３以降と同様となる。一方、複数個指定された場合（Ｙｅｓのとき）、ステップＳ６４にて、対象物判定部２２２は、同じ種類の対象物かどうかを判定する。違う種類の対象物が同時に選択されていた場合、１つのジェスチャーで同一メニューを表示することが必ずしもできるとは限らないので、判定結果はＮｏとなり、メニューは表示しない（ステップＳ６９）。
【００４５】
指定された複数個の対象物が同じ種類の対象物の場合（Ｙｅｓ）、ステップＳ６４からＳ６６までは実施の形態１と同様であるが、複数個選択する場合は選択した全ての対象物を押下し続けることは不可能なので、対象物判定部２２２にて対象物を押下し続けているかどうかの判断は行わない。従って、複数個の対象物を同時に選択し、メニューを表示し、制御操作を行いたい場合は、常にメニューは表示される。
【００４６】
以上のように実施の形態５によれば、複数の対象物を一括して指定してメニューを表示させ、選択された対象物に対する制御操作を一斉に行うことができるので、例えば、まとめて同一種類の機器の運転を停止し、あるいはスタートさせたいというような操作に適用することで、操作性、作業性を改善することができる。
【符号の説明】
【００４７】
１  タッチパネルディスプレイ、  １１  タッチパネル、  １２  マルチタッチ検出器、  １３  インターフェース、  ２  データ処理装置、  ２１  記憶部、  ２１１  ジェスチャー記憶部、  ２１２  メニュー記憶部、  ２１３  メニュー対ジェスチャー対応記憶部、  ２２  情報処理部、  ２２１  ジェスチャー判定部、  ２２２  対象物判定部、  ２２３  表示メニュー決定部、  ２２４  選択ジェスチャー判定部、  ２３  インターフェース、  ２４  ユーザ認証部、  ３（３ａ、３ｂ、３ｃ、・・・）  対象物、  ４、４Ａ  手、  ５  別の手、  ６（６Ａ、６Ｂ）  ハンドジェスチャー（ハンドジェスチャー）、  ７（７Ａ、７Ｂ、７Ｃ）  メニュー。
【図１】
2011076563.tif 000003
【図２】
2011076563.tif 000004
【図３】
2011076563.tif 000005
【図４】
2011076563.tif 000006
【図５】
2011076563.tif 000007
【図６】
2011076563.tif 000008
【図７】
2011076563.tif 000009
【図８】
2011076563.tif 000010
【図９】
2011076563.tif 000011
【図１０】
2011076563.tif 000012
【図１１】
2011076563.tif 000013